(57)【要約】【課題】精査・残置回収処理に要する時間を短縮し、かつコストを低減し小型化する。【解決手段】投入された貨幣を１枚ずつ取り込む受入部１１４と、貨幣を払い出す払出部１１６と、貨幣を金種別に収納する収納部１０６と、前記受入部と前記収納部との間において現金を搬送する入金搬送部１０３と、前記入金搬送部に設けられ、貨幣の識別計数を行う識別部１０１と、前記識別部と前記収納部との間の前記入金搬送部に設けられ、貨幣を前記収納部側へ案内するか、又は前記払出部側へ案内するかを切り替える分岐部１０４と、前記受入部から取り込まれた貨幣を、前記識別部の識別結果に基づき金種毎に所定枚目までは前記収納部側へ案内し、前記所定枚目を超えた貨幣は前記払出部側へ案内するように前記分岐部を制御する制御部Ｃ１と、を備え、前記識別部は前記収納部へ搬送された貨幣と前記払出部へ搬送された貨幣の合計金額又は金種別枚数の合計を算出する。【選択図】図１
2009230680.tif 000002
【特許請求の範囲】
【請求項１】
投入された貨幣を１枚ずつ取り込む受入部と、
貨幣を払い出す払出部と、
貨幣を金種別に収納する収納部と、
前記受入部と前記収納部との間において現金を搬送する入金搬送部と、
前記入金搬送部に設けられ、貨幣の識別計数を行う識別部と、
前記識別部と前記収納部との間の前記入金搬送部に設けられ、貨幣を前記収納部側へ案内するか、又は前記払出部側へ案内するかを切り替える分岐部と、
前記受入部から取り込まれた貨幣を、前記識別部の識別結果に基づき金種毎に所定枚目までは前記収納部側へ案内し、前記所定枚目を超えた貨幣は前記払出部側へ案内するように前記分岐部を制御する制御部と、
を備え、
前記識別部は前記収納部へ搬送された貨幣と前記払出部へ搬送された貨幣の合計金額又は金種別枚数の合計を算出することを特徴とする釣銭機。
【請求項２】
釣銭準備金の金種別の枚数情報を記憶する記憶部をさらに備え、
前記制御部は前記枚数情報に基づいて金種毎に前記収納部に収納する貨幣枚数である前記所定枚の決定を行うことを特徴とする請求項１に記載の釣銭機。
【請求項３】
前記収納部から取り出されて前記払出部から払い出される貨幣の合計金額又は金種別枚数の合計を検出する検出部と、
前記検出部により検出された合計金額又は金種別枚数の合計を記憶する記憶部と、
をさらに備え、
前記制御部は前記識別部が算出した前記合計金額又は金種別枚数の合計と、前記記憶部に記憶された前記合計金額又は金種別枚数の合計とを比較することを特徴とする請求項１に記載の釣銭機。
【請求項４】
前記制御部は、前記記憶部に記憶された前記合計金額又は金種別枚数の合計に基づいて、金種毎に前記収納部に収納する貨幣枚数である前記所定枚の算出を行うことを特徴とする請求項３に記載の釣銭機。
【請求項５】
前記収納部と前記払出部との間において貨幣を搬送する出金搬送部をさらに備え、
前記分岐部は貨幣を前記収納部側へ案内するか、又は前記出金搬送部側へ案内するかを切り替えることを特徴とする請求項１乃至４のいずれかに記載の釣銭機。
【請求項６】
金種別に貨幣が収納されている収納部からすべての貨幣を払い出し、
前記払い出した貨幣の合計金額を第１の合計金額として算出し、
前記払い出した貨幣をすべて貨幣受入部へ投入して１枚ずつ取り込み、
前記取り込んだ貨幣を識別計数し、
前記識別計数の結果に基づき、前記取り込んだ貨幣を金種毎に所定枚目までは前記収納部側へ案内して前記収納部に収納し、前記所定枚目を超えた貨幣は払出部側へ案内して払い出し、
前記収納部側へ案内した貨幣と前記払出部側へ案内した貨幣の合計金額を第２の合計金額として算出し、
前記第１の合計金額と前記第２の合計金額の比較を行う貨幣取扱方法。
【発明の詳細な説明】
【技術分野】
【０００１】
本発明は、釣銭機及び貨幣取扱方法に関するものである。
【背景技術】
【０００２】
売上金を入金する入金処理及び釣銭金を出金する出金処理等を行う従来の硬貨釣銭機では、機内の現金の金種毎の金額や総金額を確認する精査処理を行う場合、機内の硬貨をすべて出金（以下、全回収という）し、全回収した硬貨をすべて釣銭機の入金口に入金（以下、全補充という）して、識別計数を行っていた。識別計数された硬貨は金種別に機内の収納庫に収納される。
【０００３】
精査を行った後、翌日の営業時の釣銭用として所定枚数の硬貨を収納庫に残し、それ以外の硬貨を回収（以下、残置回収という）する場合は、釣銭用硬貨以外の硬貨が収納庫から出金される。このように、従来の硬貨釣銭機で精査と残置回収を行う場合、全回収、全補充、及び残置回収が必要となるため、操作が煩雑であり、すべての処理を完了するのに時間がかかっていた。
【０００４】
また、金種別の収納庫以外に硬貨の貯留・繰り出しを行う一時保留部を備えた釣銭払出機が提案されている（例えば特許文献１参照）。この釣銭払出機を用いて精査処理を行う場合、金種別収納庫の硬貨を一時保留部へ搬出し、一時保留部から再び該当する収納庫へ収納し、収納庫の入金口に設けられた計数器で硬貨枚数を計数し、在高を確認する。
【０００５】
一時保留部と金種別収納庫との間で硬貨を循環させるため、機外に硬貨を取り出すことなく、精査処理を行うことができる。しかし、金種別収納庫以外の硬貨収納庫（一時保留部）を備える必要があるため、装置の大型化及びコストの増加を招くという問題があった。
【特許文献１】特開２００６−３０９４６８号公報
【発明の開示】
【発明が解決しようとする課題】
【０００６】
本発明は精査・残置回収処理に要する時間を短縮し、かつ低コストで小型の釣銭機、及び精査・残置回収処理に要する時間を短縮する貨幣取扱方法を提供することを目的とする。
【課題を解決するための手段】
【０００７】
本発明の一態様による釣銭機は、投入された貨幣を１枚ずつ取り込む受入部と、貨幣を払い出す払出部と、貨幣を金種別に収納する収納部と、前記受入部と前記収納部との間において現金を搬送する入金搬送部と、前記入金搬送部に設けられ、貨幣の識別計数を行う識別部と、前記識別部と前記収納部との間の前記入金搬送部に設けられ、貨幣を前記収納部側へ案内するか、又は前記払出部側へ案内するかを切り替える分岐部と、前記受入部から取り込まれた貨幣を、前記識別部の識別結果に基づき金種毎に所定枚目までは前記収納部側へ案内し、前記所定枚目を超えた貨幣は前記払出部側へ案内するように前記分岐部を制御する制御部と、を備え、前記識別部は前記収納部へ搬送された貨幣と前記払出部へ搬送された貨幣の合計金額又は金種別枚数の合計を算出するものである。
【０００８】
本発明の一態様による釣銭機において、釣銭準備金の金種別の枚数情報を記憶する記憶部をさらに備え、前記制御部は前記枚数情報に基づいて金種毎に前記収納部に収納する貨幣枚数である前記所定枚の決定を行うことが好ましい。
【０００９】
本発明の一態様による釣銭機において、前記収納部から取り出されて前記払出部から払い出される貨幣の合計金額又は金種別枚数の合計を検出する検出部と、前記検出部により検出された合計金額又は金種別枚数の合計を記憶する記憶部と、をさらに備え、前記制御部は前記識別部が算出した前記合計金額又は金種別枚数の合計と、前記記憶部に記憶された前記合計金額又は金種別枚数の合計とを比較することが好ましい。
【００１０】
本発明の一態様による釣銭機において、前記制御部は、前記記憶部に記憶された前記合計金額又は金種別枚数の合計に基づいて、金種毎に前記収納部に収納する貨幣枚数である前記所定枚の算出を行うことが好ましい。
【００１１】
本発明の一態様による釣銭機において、前記収納部と前記払出部との間において貨幣を搬送する出金搬送部をさらに備え、前記分岐部は貨幣を前記収納部側へ案内するか、又は前記出金搬送部側へ案内するかを切り替えることが好ましい。
【００１２】
本発明の一態様による貨幣取扱方法は、金種別に貨幣が収納されている収納部からすべての貨幣を払い出し、前記払い出した貨幣の合計金額を第１の合計金額として算出し、前記払い出した貨幣をすべて貨幣受入部へ投入して１枚ずつ取り込み、前記取り込んだ貨幣を識別計数し、前記識別計数の結果に基づき、前記取り込んだ貨幣を金種毎に所定枚目までは前記収納部側へ案内して前記収納部に収納し、前記所定枚目を超えた貨幣は払出部側へ案内して払い出し、前記収納部側へ案内した貨幣と前記払出部側へ案内した貨幣の合計金額を第２の合計金額として算出し、前記第１の合計金額と前記第２の合計金額の比較を行うものである。
【発明の効果】
【００１３】
本発明によれば、精査・残置回収処理に要する時間を短縮できる。また釣銭機のコストを低減して小型化することができる。
【発明を実施するための最良の形態】
【００１４】
以下、本発明の実施の形態による釣銭機を図面に基づいて説明する。
【００１５】
図１に本発明の実施形態に係る釣銭機を含む貨幣取扱システムの概略構成を示す。貨幣取扱システムは硬貨釣銭機１Ａ、紙幣釣銭機１Ｂ、及び制御端末機Ｔからなる。制御端末機ＴはホストサーバＳに接続されており、売上情報等を送信する。
【００１６】
制御端末機Ｔは例えばＰＯＳレジスタ（販売時点管理機能を有する金銭登録機）である。制御端末機Ｔは、操作部ｔ１、表示部ｔ２、及び制御部Ｃ３を有する。
【００１７】
硬貨釣銭機１Ａ及び紙幣釣銭機１Ｂは、それぞれ制御部Ｃ１、Ｃ２を有する。制御部Ｃ１、Ｃ２は互いに接続されており、制御部Ｃ２は制御端末機Ｔの制御部Ｃ３にも接続されている。
【００１８】
硬貨釣銭機１Ａと紙幣釣銭機１Ｂは、それぞれ外部から貨幣（硬貨と紙幣）を受け入れる貨幣受入部（硬貨受入部１１４と紙幣受入部２１４）、貨幣受入部から受け入れた受入貨幣の識別計数を行う識別部（硬貨識別部１０１と紙幣識別部２０１）、識別部による識別結果に応じて受入貨幣を金種別に収納する貨幣収納部（硬貨収納部１０６と紙幣収納部２０６）、及び機内の貨幣を外部に払い出す貨幣払出部（硬貨払出部１１６と紙幣払出部２１６）を備える。
【００１９】
また、この貨幣取扱システムは制御部Ｃ１、Ｃ２、Ｃ３の少なくともいずれか１つに対して精査・残置回収指示を行う精査・残置回収指示入力手段を有する。ここで精査は機内の貨幣の金種毎の金額や総金額の確認処理をいい、残置回収は、例えば翌日の営業時の釣銭用として、所定枚数の貨幣を収納部に残し、それ以外の貨幣を回収する処理をいう。精査・残置回収は、例えば１日の営業の終了後に行われるものである。
【００２０】
この精査・残置回収指示入力手段は、例えば制御端末機Ｔの操作部ｔ１や硬貨釣銭機１Ａ、紙幣釣銭機１Ｂの操作表示部（図２における１１２、２１２）に設ける操作ボタンとして構成することができる。残置回収により収納部に残す貨幣枚数は図示しない記憶部に記憶するようにしてもよいし、制御端末機Ｔの操作部ｔ１や硬貨釣銭機１Ａ、紙幣釣銭機１Ｂの操作表示部１１２、２１２を介して入力するようにしてもよい。
【００２１】
従って、制御部Ｃ１、Ｃ２、Ｃ３は、通常は顧客からの預かり貨幣の入金と釣銭貨幣の出金とを行う“釣銭モード”の制御を行うが、精査・残置回収指示があった場合は“精査・残置回収モード”の制御を行う。釣銭モード、精査・残置回収モード時の動作については後述する。
【００２２】
次に硬貨釣銭機１Ａの構成を説明する。図１及び図２に示すように、硬貨釣銭機１Ａは前部上面に操作表示部１１２を有する筐体１１０を備える。筐体１１０の前部には硬貨受入部１１４及び硬貨払出部１１６が設けられている。
【００２３】
硬貨受入部１１４は受け入れた硬貨を１層１列状態で１枚ずつ機内へ取り込む。受入部１１４の後方には取り込まれた硬貨を搬送する入金搬送部１０３が延びている。
【００２４】
この入金搬送部１０３の途中には硬貨の識別・計数を行う硬貨識別部１０１と、分岐部１０４が設けられている。分岐部１０４は硬貨識別部１０１の識別結果に基づいて、リジェクト硬貨等の取出部１１６から払い出される（放出される）硬貨を出金搬送部１０８へ案内（搬送）する。
【００２５】
正常硬貨等の機内に収納される硬貨は入金搬送部１０３により硬貨収納部１０６へ搬送される。硬貨収納部１０６は硬貨を金種別に収納し、例えば入金搬送部１０３の上流側から高額順に貨幣を収納する。
【００２６】
出金搬送部１０８は硬貨収納部１０６に収納された硬貨を取り出して、硬貨払出部１１６へ搬送する。また、分岐部１０４から案内された硬貨を硬貨払出部１１６へ搬送する。
【００２７】
次に紙幣釣銭機１Ｂの構成を説明する。紙幣釣銭機１Ｂは、筐体２１０と、この筐体２１０内の略中央部に設けられた環状の周回搬送部２０３ａとを備えている。また、紙幣受入部２１４、紙幣収納部２０６、紙幣払出部２１６、出金リジェクト部２０４、及び紙幣回収カセット２０７が、周回搬送部２０３ａの外周を取り囲むように配置されている。
【００２８】
また、紙幣受入部２１４、各紙幣収納部２０６、紙幣払出部２１６、出金リジェクト部２０４、及び紙幣回収カセット２０７と、周回搬送部２０３ａとの間を接続する紙幣の接続搬送部２０３ｂがそれぞれ形成されている。周回搬送部２０３ａには、通過する紙幣の識別・計数を行う紙幣識別部２０１が設けられている。
【００２９】
また、周回搬送部２０３ａと各接続搬送部２０３ｂとの間で紙幣の搬送経路を切り替える経路切替部（図示せず）が周回搬送部２０３ａに沿って配置されている。
【００３０】
図１及び図２に示すように、筐体２１０の前面には紙幣受入部２１４の紙幣受入口２１４ａと、紙幣払出部２１６の紙幣取出口２１６ａとが設けられている。紙幣回収カセット２０７は筐体２１０に対して着脱自在に取り付けられている。また、筐体２１０の前部上面に操作表示部２１２が設けられている。
【００３１】
紙幣受入部２１４は紙幣受入口２１４ａに挿入された入金紙幣を１枚ずつ取り込んで、周回搬送部２０３ａ側へ繰り出す。各紙幣収納部２０６は、識別部２０１の識別結果に基づいて紙幣を金種別に収納する。紙幣払出部２１６は、各紙幣収納部２０６から取り出された紙幣を紙幣取出口２１６ａより放出する。
【００３２】
出金リジェクト部２０４は、収納部２０６から繰り出された紙幣のうち、斜行等により識別部２０１で識別のできない紙幣を出金リジェクト紙幣として収納する。また、紙幣受入部２１４から取り込まれた紙幣のうち、汚損等により識別部２０１で識別のできない紙幣は入金リジェクト紙幣として紙幣払出部２１６に返却される。
【００３３】
次に、貨幣取扱システムの釣銭モード時の動作について説明する。制御端末機Ｔの制御部Ｃ３は図示しない商品情報読み取り部等から読み取った商品情報に基づいて、商品取引により生じた売上金を算出する。操作部ｔ１を介して売上金情報を入力するようにしてもよい。
【００３４】
そしてこの売上金と顧客からの預かり金とを用いて釣銭額を算出し、釣銭出金制御信号を制御部Ｃ２へ出力する。顧客からの預かり金情報は、店員等の操作者が計数して操作部ｔ１を介して入力する。または、操作者が硬貨釣銭機１Ａ、紙幣釣銭機１Ｂに預かり金を投入し、制御部Ｃ１、Ｃ２が識別部１０１、２０１による計数結果を預かり金情報として制御部Ｃ３へ出力するようにしてもよい。
【００３５】
制御部Ｃ２はこの釣銭出金制御信号に基づいて紙幣払出部２１６から釣銭紙幣が払い出されるように、紙幣釣銭機１Ｂ内の各部の制御を行う。そして、釣銭硬貨出金制御信号を制御部Ｃ１へ出力する。
【００３６】
制御部Ｃ１はこの釣銭硬貨出金制御信号に基づいて硬貨払出部１１６から釣銭硬貨が払い出されるように、硬貨釣銭機１Ａ内の各部の制御を行う。
【００３７】
貨幣受入部（硬貨受入部１１４及び紙幣受入部２１４）から取り込まれた貨幣は、識別部１０１、２０１による識別計数後、貨幣収納部（硬貨収納部１０６と紙幣収納部２０６）に金種別に収納される。
【００３８】
続いて、貨幣取扱システムの精査・残置回収モード時動作について説明する。ここでは硬貨釣銭機１Ａの動作について説明する。
【００３９】
精査・残置回収指示入力手段を介して精査・残置回収指示が入力されると、制御部Ｃ１は硬貨収納部１０６に収納されている硬貨をすべて払い出す（全回収）ように硬貨収納部１０６及び出金搬送部１０８を制御する。このとき、各収納部１０６の出口にはセンサが設けられており、金種毎の硬貨枚数が計数されるようになっており、回収される硬貨の金種別金額が算出されるようになっている。
【００４０】
全回収された後の硬貨の処理のフローチャートを図３に示す。
【００４１】
（ステップＳ３０１）全回収した硬貨を硬貨受入部１１４へすべて投入（全補充）する。
【００４２】
（ステップＳ３０２）硬貨受入部１１４が投入された硬貨を機内へ１枚ずつ取り込む。取り込まれた硬貨は、入金搬送部１０３により識別部１０１へ搬送される。そして識別部１０１が取り込まれた硬貨の計数識別を行う。
【００４３】
制御部Ｃ１は識別部１０１により識別された硬貨が、同じ金種の硬貨として何枚目に識別された硬貨であるかを検出し、この金種についての所定の硬貨残置枚数と比較する。所定の硬貨残置枚数以下の場合はステップＳ３０３へ進み、所定の硬貨残置枚数を超えている場合はステップＳ３０４へ進む。
【００４４】
（ステップＳ３０３）制御部Ｃ１は識別部１０１により識別された硬貨を収納部１０６側へ案内するように分岐部１０４を制御する。
【００４５】
（ステップＳ３０４）制御部Ｃ１は識別部１０１により識別された硬貨を出金搬送部１０８側へ案内するよう分岐部１０４を制御する。
【００４６】
（ステップＳ３０５）硬貨受入部１１４における硬貨の有無が検出される。硬貨がある場合はステップＳ３０２へ戻り、無い場合はステップＳ３０６へ進む。
【００４７】
（ステップＳ３０６）ステップＳ３０１で硬貨受入部１１４へ投入された硬貨すべての合計金額が識別部１０１により算出される。算出された合計金額と、全回収時に検出された合計金額又は制御端末機Ｔに記憶されている硬貨釣銭機１Ａの収納硬貨合計金額とが比較される。
【００４８】
比較は制御部Ｃ１に含まれる演算器（図示せず）が行う。演算器は制御部Ｃ１の外部に設けるようにしてもよい。また、制御部Ｃ１が情報を制御端末機Ｔへ送信して、制御端末機Ｔが演算を行うようにしてもよい。
【００４９】
このような処理により、全回収した硬貨を全補充して精査を行うと共に、残置回収を並行して行うことができる。
【００５０】
（比較例）比較例による硬貨釣銭機を図４に示す。この硬貨釣銭機を用いた精査及び残置回収処理について説明する。まず精査処理開始指示が与えられ、硬貨収納部４０６に収納されている硬貨がすべて放出（全回収）される。全回収された後の硬貨の処理のフローチャートを図５に示す。
【００５１】
（ステップＳ５０１）全回収した硬貨を硬貨受入部４１４へすべて投入（全補充）する。
【００５２】
（ステップＳ５０２）硬貨受入部４１４が機内へ１枚ずつ硬貨を取り込む。取り込まれた硬貨は識別部４０１により識別計数される。
【００５３】
（ステップＳ５０３）識別計数された硬貨が入金搬送部４０３により硬貨収納部４０６へ搬送され、金種別に収納される。
【００５４】
（ステップＳ５０４）硬貨受入部４１４における硬貨の有無が検出される。硬貨がある場合はステップＳ５０２へ戻り、無い場合はステップＳ５０５へ進む。
【００５５】
（ステップＳ５０５）全回収時に検出した硬貨の合計金額とステップＳ５０２で計数された硬貨の合計金額とが比較される。
【００５６】
（ステップＳ５０６）残置回収処理開始指示が与えられる。
【００５７】
（ステップＳ５０７）出金搬送部４０８により各硬貨収納部４０６から硬貨が取り出される。
【００５８】
（ステップＳ５０８）各硬貨収納部４０６に収納されている硬貨の枚数が所定の残置枚数より多いか否かが検出される。収納枚数が所定の残置枚数より多い場合はステップＳ５０７へ戻り、所定の残置枚数と同じ場合は処理を終了する。
【００５９】
このような比較例による硬貨釣銭機では全補充した硬貨を一旦すべて硬貨収納部４０６に収納し、その後、残置回収指示を与えて、所定枚数を残して硬貨収納部４０６から取り出すため、操作が煩雑となり、精査・残置回収に時間がかかる。
【００６０】
一方、上記実施形態による硬貨釣銭機は、全回収した硬貨の全補充と残置回収とを並行して実行するため、操作手数を減らし、精査・残置回収に要する時間を短縮できる。また、金種別収納部以外の硬貨収納部を設ける必要がないため、装置を小型化・低コスト化することができる。
【００６１】
上述した実施の形態は一例であって限定的なものではないと考えられるべきである。例えば、全回収時に金種毎の硬貨の枚数を検出した時に、所定の残置枚数に足りない金種がある場合、足りない分を他の金種で代替するようにしてもよい。代替する金種枚数は制御部Ｃ１に含まれる演算器が算出する。
【００６２】
また、この演算器が、所定の残置金額と、全回収時に検出した金種毎の硬貨の枚数とから、収納部１０６に残置する硬貨の金種毎の枚数を決定するようにしてもよい。
【００６３】
また、ステップＳ３０６において、全回収時に検出した金種枚数と、硬貨収納部１０６に収納された金種枚数と分岐部１０４により出金搬送部１０８側へ案内された金種枚数の合計とを比較するようにしても良い。
【００６４】
また、ステップＳ３０６での比較結果が不一致であった場合にアラーム音等の警報を発生するようにしてもよい。
【００６５】
上記実施形態による硬貨釣銭機では、収納部１０６に収納された硬貨は出金搬送部１０８により硬貨払出部１１６に搬送されて外部へ払い出されていたが、出金搬送部１０８を設けず、収納部１０６から硬貨払出部１１６へ硬貨が直接払い出されるような構成にしてもよい。この場合、分岐部１０４は外部へ払い出す（放出する）硬貨を硬貨払出部１１６へ案内する。
【００６６】
また、上記実施形態では硬貨釣銭機で全補充と残置回収を並行して行うことを説明したが、紙幣釣銭機でも同様のことを行うことができる。例えば、全補充した紙幣が紙幣取込部２１４から周回搬送部２０３ａへ繰り出され、識別部２０１で識別される。そして制御部Ｃ２が識別結果を受け取り、この金種の紙幣として何枚目に識別された紙幣かを検出する。
【００６７】
そして、制御部Ｃ２は検出結果が所定枚目以下であれば識別された紙幣を収納部２０６へ搬送し、所定枚目を超えていれば紙幣払出部２１６へ搬送するように周回搬送部２０３ａを制御する。これにより、紙幣についても精査・残置回収処理を迅速に行うことができる。
【００６８】
本発明の技術的範囲は特許請求の範囲によって示され、特許請求の範囲と均等の意味および範囲内でのすべての変更が含まれることが意図される。
【図面の簡単な説明】
【００６９】
【図１】本発明の実施形態による貨幣取扱システムのブロック図である。
【図２】同実施形態による貨幣取扱システムにおける硬貨釣銭機及び紙幣釣銭機の外観斜視図である。
【図３】同実施形態による全補充及び残置回収処理を説明するフローチャートである。
【図４】比較例による硬貨釣銭機のブロック図である。
【図５】比較例による全補充及び残置回収処理を説明するフローチャートである。
【符号の説明】
【００７０】
１Ａ  硬貨釣銭機
１Ｂ  紙幣釣銭機
１０１  硬貨識別部
１０３  入金搬送部
１０４  分岐部
１０６  硬貨収納部
１１０  筐体
１１２  操作表示部
１１４  硬貨受入部
１１６  硬貨払出部
２０１  紙幣識別部
２０３ａ  周回搬送部
２０３ｂ  接続搬送部
２０４  出金リジェクト部
２０６  紙幣収納部
２０７  紙幣回収カセット
２１０  筐体
２１２  操作表示部
２１４  紙幣受入部
２１６  紙幣払出部
Ｃ１、Ｃ２、Ｃ３  制御部
Ｓ  ホストサーバ
Ｔ  制御端末機
ｔ１  操作部
ｔ２  表示部
【図１】
2009230680.tif 000003
【図２】
2009230680.tif 000004
【図３】
2009230680.tif 000005
【図４】
2009230680.tif 000006
【図５】
2009230680.tif 000007